(57)【要約】【課題】広域地図以外の情報をユーザに対して提供する。【解決手段】広域地図１２を表示する第１表示ステップ（s００３）、ＧＰＳ６より位置情報を取得する取得ステップ（ｓ００１）、特定の地域に特化した地図を表示する第２表示ステップ（ｓ００４）、を含み、前記第２表示ステップでは、前記取得した位置情報が前記特定の地域に含まれる場合に前記広域地図１２から前記特定地域の地図１４へと表示を切り替え可能となることを特徴とする。【選択図】図４
2020071310.tif 000002
【特許請求の範囲】
【請求項１】
広域の地図を表示する第１表示ステップ、
ＧＰＳより位置情報を取得する取得ステップ、
特定の地域に特化した地図を表示する第２表示ステップ、
を含み、
前記第２表示ステップでは、前記取得した位置情報が前記特定の地域に含まれる場合に前記特定地域の地図を表示することが可能となることを特徴とする、地図表示方法。
【請求項２】
前記特定地域の地図は矩形の画像であって、その一対の対角には位置情報が対応付けられており、
前記第２表示ステップでは、前記取得した位置情報が、前記一対の対角に対応付けられた位置情報によって規定される矩形領域内に含まれる場合に前記特定の地域の地図を表示することを特徴とする、請求項１に記載の地図表示方法。
【請求項３】
前記特定の地域に特化した地図を複数備えており、
前記第２ステップでは、ユーザによって選択されたカテゴリまたは時間に基づいて前記複数の地図から一の地図を選択する、請求項１または請求項２に記載の地図表示方法。
【請求項４】
コンピュータを、
広域の地図を表示させる第１表示部、
特定の地域に特化した地図を表示させる第２表示部、
ＧＰＳから位置情報を取得する取得部、
として機能させ、
前記取得した位置情報が前記特定の地域に含まれる場合に前記広域の地図から前記特定地域の地図へと表示を切り替え可能とすることを特徴とする、地図表示プログラム。
【発明の詳細な説明】
【技術分野】
【０００１】
本発明は地図表示方法および地図表示プログラムに関する。
【背景技術】
【０００２】
近年では、カーナビゲーションだけでなく、スマートフォンなどの携帯情報端末に地図案内アプリーションが組み込まれている。地図案内アプリケーションは、ＧＰＳにより取得した位置情報に基づいて、目的地までの移動経路をユーザに対して案内するアプリケーションであって、広域の地図情報を有している。
【０００３】
ここで、特許文献１に記載の地図案内アプリケーションは、カーナビに用いられるアプリケーションであって、広域の地図情報を目的地までの経路情報に基づいて表示し、交差点などのガイダンスポイントにおいては表示モードを切り替えて矢印などのガイダンスを表示している。
【先行技術文献】
【特許文献】
【０００４】
【特許文献１】特開２００７−１８３２１６号公報
【発明の概要】
【発明が解決しようとする課題】
【０００５】
上記特許文献１によると、ユーザに対して注意すべきガイダンスポイントでは表示モードを切り替えるものの、表示されるのは矢印などのガイダンスのみであるため、広域地図以上の情報をユーザに提示するものではなかった。
【０００６】
上記の課題に鑑み、本発明は、広域地図以外の情報をユーザに対して提供することのできる地図表示方法および地図表示プログラムを提供することを目的とする。
【課題を解決するための手段】
【０００７】
上記目的を達成するため、本発明は地図表示方法であって、広域の地図を表示する第１表示ステップ、ＧＰＳより位置情報を取得する取得ステップ、特定の地域に特化した地図を表示する第２表示ステップ、を含み、前記第２表示ステップでは、前記取得した位置情報が前記特定の地域に含まれる場合に前記広域の地図から前記特定地域の地図へと表示を切り替え可能となることを特徴とする。
【０００８】
前記特定地域の地図は矩形の画像であって、その一対の対角には位置情報が対応付けられており、前記第２表示ステップでは、前記取得した位置情報が、前記一対の対角に対応付けられた位置情報によって規定される矩形領域内に含まれる場合に前記特定の地域の地図を表示することを特徴とする。
【０００９】
また、前記特定の地域に特化した地図を複数備えており、前記第２ステップでは、ユーザによって選択されたカテゴリまたは時間に基づいて前記複数の地図から一の地図を選択することを特徴とする。
【００１０】
本発明は、コンピュータを、広域の地図を表示させる第１表示部、特定の地域に特化した地図を表示させる第２表示部、ＧＰＳから位置情報を取得する取得部、として機能させる地図表示プログラムであって、前記取得した位置情報が前記特定の地域に含まれる場合に前記広域の地図から前記特定地域の地図へと表示を切り替え可能とすることを特徴とする。
【発明の効果】
【００１１】
本発明によれば広域の地図だけでなく、特定の地域に特化した内容の地図をユーザに提供することができる。
【図面の簡単な説明】
【００１２】
【図１】本実施形態の携帯情報端末のハードウェア概略図
【図２】特定地域の地図の一例を示した図
【図３】特別地域の地図と緯度経度の記憶態様を示す図
【図４】上記スマートフォンによる処理の流れを示すフロー図
【図５】（ａ）広域地図の表示例を示した図、（ｂ）特定地域の地図の表示例を示した図
【図６】サーバのハードウェア概略図
【図７】変形例５に係る表示態様の一例を示した図
【発明を実施するための形態】
【００１３】
＜第１実施形態＞
以下、図面に基づいて地図提供装置として機能する携帯情報端末を例にして本発明の実施形態を説明する。
【００１４】
携帯情報端末２は、代表的には公知のスマートフォンであって、図１に示すように、タッチスクリーン４と、ＧＰＳ６（Global Positioning System）と、ＣＰＵ８（Central Processing Unit）と、メモリ１０と、を備えている。タッチスクリーン４、ＧＰＳ６、およびメモリ１０は、ＣＰＵ８と通信可能となるように電気的に接続されている。当該ＣＰＵ８は、メモリ１０に記憶された地図表示アプリケーションを実行して、タッチスクリーン４およびＧＰＳ６を制御する。
【００１５】
地図表示アプリケーションは、携帯情報端末２のユーザに対して地図を表示するアプリケーションであって、広域地図１２（図５（ａ））と特定地域の地図１４（図２）を有している。広域地図１２は、公知のナビゲーションシステムにおいて用いられている地図画像であり、日本全国の路線や建物が緯度経度に対応させて収録されている。特定地域の地図１４は、矩形の画像であって、図２に示す駅前マップや、商店街マップや繁華街マップに代表される商業地マップ、温泉街に代表される観光地マップなど、特定の地域に特化した地図画像である。以下、特定地域の地図１４を特定地域画像１４とも言う。このような特定地域画像１４は、その地域ごとに作成されたオリジナルの画像であることが好ましい。このように携帯情報端末２のメモリ１０は、広域地図１２と特定地域の地図１４を記憶する記憶部として機能している。
【００１６】
本実施形態では、ＧＰＳ６から取得した緯度経度が、特定地域画像１４が表す特定地域に含まれる場合に、特定地域画像１４を表示することとしている。具体的には、図２および図３に示すように、特定地域に関する位置情報が上記の特定地域画像１４に対応付けて記憶されている。例えば、特定地域画像１４の一対の対角に対応する緯度経度、すなわち、特定地域画像１４の一の角部に表されている地点の緯度経度（以下、一の緯度経度という。）と、当該一の角部の対角上にある他の角部に表されている地点の緯度経度（以下、他の緯度経度という。）が、メモリ１０に記憶されている。このようにメモリ１０は、特定地域に関する位置情報を記憶する記憶部としても機能している。そして、ＣＰＵ８は下記の処理手順により地図を切り替えて、タッチスクリーン４に表示させる表示制御部として機能している。
【００１７】
（１）図４に示すように、先ず、ユーザによって地図表示アプリケーションが起動されると、ＣＰＵ８は、ＧＰＳ６から当該携帯情報端末２の緯度経度を取得する（ｓ００１）。
（２）次に、ＣＰＵ８は、ＧＰＳ６から取得した緯度経度が、一の緯度経度と他の緯度経度を頂点とする矩形地域に含まれるか否かを判定する（ｓ００２）。なお、複数の特定地域画像１４を有する場合には、各特定地域画像１４について判定を行う。
（３）判定の結果、ＧＰＳ６から取得した緯度経度が矩形地域に含まれない場合には（ｓ００２：ＮＯ）、ＣＰＵ８は、図５（ａ）に示すように広域地図１２をタッチスクリーン４に表示させる（ｓ００３）。この際、予めタッチスクリーン４を介して入力された縮尺、およびＧＰＳ６から取得した緯度経度に基づいて広域地図１２を部分的に抽出しタッチスクリーン４に表示させた後、上記のステップｓ００１に戻る。
（４）判定の結果、ＧＰＳ６から取得した緯度経度が矩形地域に含まれる場合には（ｓ００２：ＹＥＳ）、ＣＰＵ８は、図５（ｂ）に示すように、特定地域画像１４をタッチスクリーン４に表示させる（ｓ００４）。このように特定地域画像１４を表示させる手法としては、例えば、特定地域画像１４を広域地図１２上に重畳配置する、いわゆる重ね表示する方法が採用される。当該重ね表示は、広域地図１２における当該特定地域の部分およびその周辺地域の部分を抽出するとともに、当該抽出した特定地域の部分に特定地域画像１４を重ねてタッチスクリーン４に表示させる。これにより、ユーザが特定地域の境界部分に位置する場合、タッチスクリーン４には、特定地域については特定地域画像１４が表示され、その周辺部分については広域地図１２が表示されることとなる。なお、このような重ね表示には限定されず、単に広域地図１２と特定地域画像１４を切り替えて表示する態様であっても構わない。
（５）特定地域画像１４をタッチスクリーン４に表示させると、ユーザの現在地を指標するマーカ１６を特定地域画像１４上に表示させる（ｓ００５）。当該現在地の表示方法については、特に限定されないが、例えば、前記した一の緯度経度および他の緯度経度を頂点とする矩形形状（矩形エリア）と特定地域画像１４は相似関係にあるから、当該相似関係に基づいて、一の緯度経度を原点とする座標系にある他の緯度経度を特定地域画像１４の座標系へ変換することで、マーカ１６の表示位置を算出することができる。他には、特定地域画像１４を格子状に区分けし、区分けしたエリアごとに一の緯度経度から他の緯度経度までの緯度経度を均等に割り当てる。そして、当該均等割当されたエリアのうちＧＰＳ６から取得した緯度経度と最も近似するエリアにマーカ１６を表示させても構わない。このようにマーカ１６を表示させた後、上記のステップｓ００１に戻る。
【００１８】
本実施形態によれば、携帯情報端末２のユーザが特定地域に進入した際、一般的なナビゲーションシステムで使用されている広域地図１２から、地域ごとに特化した内容を表す特定地域画像１４へと表示が切り替わることとなり、ユーザに対して新たな情報を提供することが可能となっている。
【００１９】
上記の実施形態は、例えば以下に記載するように変形して実施されても構わない。
【００２０】
（変形例１）
上記の実施形態において、広域地図１２から特定地域画像１４への切り替え表示は、ＧＰＳ６から取得した緯度経度に基づいて自動的に行っても良いし、切り替え可能となった場合に、タッチスクリーン４上に切り替えボタンを表示させ、当該ボタンがユーザによって操作された場合に特定地域の地図１４を表示させても構わない。
【００２１】
（変形例２）
上記の実施形態において、同一の特定地域に対して複数の特定地域画像１４を備え、これら複数の特定地域画像１４の中から表示させる特定地域画像１４を時間に応じて選択しても構わない。例えば、モーニングを提供している飲食店を表したモーニング店マップ、ランチを提供している飲食店を表したランチ店マップ、及びディナーを提供している飲食店を表したディナー店マップである。これら複数のマップには共通の位置情報（緯度経度）が対応づけられているとともに、時間情報が対応づけられている。例えば、モーニング店マップには８時から１１時が対応付けられ、ランチ店マップには１１時から１５時が対応付けられ、ディナー店マップには１５時から２０時が対応付けられる。
【００２２】
そして、ＣＰＵ８は、ＧＰＳ６から取得した緯度経度が当該商店街に含まれる場合に、携帯情報端末２に内蔵されているリアルタイムクロック１８（時計部１８）から現在時間を取得し、取得した現在時間を含む時間情報を検索し、検索した時間情報に対応する特定地域画像１４（商店街マップ）を抽出し表示させる。これにより、その現時点において発信したい情報を効果的にユーザに提供することが可能となる。
【００２３】
（変形例３）
複数の特定地域画像１４は、カテゴリ別に作成されたものであっても構わない。例えば、商店街における飲食店を表示した飲食店マップ、商店街における洋服店を表示した洋服店マップ、及び商店街全体の店舗マップである。これらのマップには共通する位置情報が対応付けられるとともに、カテゴリを指標するカテゴリ情報が対応付けられている。例えば、飲食店マップには飲食店を指標する情報が対応付けられ、洋服店マップには、洋服店を指標する情報が対応付けられる。
【００２４】
そして、ＣＰＵ８は、ＧＰＳ６から取得した位置が上記の商店街に含まれるとき、先ずは商店街全体の店舗マップを表示させるとともに、ユーザに対してカテゴリを選択させるアイコンを表示させる。そして、タッチスクリーン４を介してアイコンの操作があった場合に、ＣＰＵ８は、選択されたアイコンのカテゴリに対応する特定地域画像１４を抽出して表示させる。
【００２５】
＜第２実施形態＞
上記の第１実施形態では、ユーザの有する携帯情報端末２が単体で地図を表示するシステムとして機能したが、第２実施形態では、図６に示すように、ユーザの携帯情報端末２に加えて、当該携帯情報端末２とインターネット通信回線を介して通信可能なサーバ２０を備えており、携帯情報端末２とサーバ２０が互いに通信することで地図を表示するシステムを形成している。以下、第１実施形態と異なる構成や処理を中心に本実施形態を説明する。
【００２６】
第１実施形態において広域地図１２および特定地域画像１４は、アプリケーションと共に携帯情報端末２のメモリ１０に格納されているが、本実施形態ではサーバ２０のメモリ２６に記憶されている。また、当該特定地域に関する位置情報（緯度経度）もサーバ２０に対応付けてメモリ２６に記憶されている。
【００２７】
（１）このような態様において、携帯情報端末２のＣＰＵ８はＧＰＳ６から位置情報（緯度経度）を取得すると、当該位置情報を含めた地図リクエストをサーバ２０へと送信する。
（２）サーバ２０のＣＰＵ２４は、地図リクエストを受信すると、当該リクエストに含まれている位置情報を、メモリ２６に記憶された位置情報と照合する。
（３）照合した結果、リクエストに含まれた位置情報が、メモリ２６に記憶した特定地域の位置情報によって定められるエリア内に含まれる場合、サーバ２０は、当該特定地域の地図１４をメモリ２６から抽出し携帯情報端末２へと送信する。
（４）一方、照合した結果、リクエストに含まれた位置情報が、上記エリア内に含まれない場合、サーバ２０は広域地図１２を携帯情報端末２へと送信する。
（５）携帯情報端末２のＣＰＵ８は、サーバ２０から送られてきた広域地図１２または特定地域画像１４を表示させ、上記ステップを実行する。
【００２８】
上記の構成および処理により、携帯情報端末２のユーザが特定地域に進入した際、ＧＰＳ６により取得した緯度経度に基づいて、一般的なナビゲーションシステムで使用されている広域地図１２から特定地域画像１４へと表示が切り替わることとなる。
【００２９】
また、上記第１実施形態の変形例１〜３も第２実施形態に適用することが可能である。つまり、変形例２や変形例３における複数の特定地域画像１４をサーバ２０のメモリ２６に記憶させ、当該記憶させた特定地域画像１４に対応付けて時間情報やカテゴリを対応付けて記憶させる。そして、携帯情報端末２のＣＰＵ８はリクエストに時間情報やカテゴリを含めてサーバ２０に送信する。サーバ２０のＣＰＵ２４はリクエストに含まれる時間情報やカテゴリに基づいて特定地域画像１４を選択し、携帯情報端末２へと送信する。
【００３０】
（変形例４）
本実施形態の変形例として、サーバ２０のＣＰＵ２４は、特定地域の地図１４を新規に登録するための地図受付部として機能しても良い。具体的には、新規に登録しようとする特定地域の代表者が、自己が所有する情報端末を操作してサーバ２０にアクセスすると、サーバ２０は、地図登録フォームを当該情報端末に対して送信する。地図登録フォームは、新規に登録する特定地域の地図１４を指定する（特定地域画像１４の保存場所を指定する）地図指定部と、当該特定地域に対応付ける位置情報を入力する位置情報入力部と、これらの情報を送信する送信ボタンと、を備えている。代表者の情報端末によって、地図指定部に地図が指定され、位置情報入力部に位置情報が入力され、送信ボタンが押されると、サーバ２０はこれらの情報を取得し、取得した地図（特定地域画像１４）に位置情報を対応付けて格納する。
【００３１】
（変形例５）
また、図７に示すように、ユーザの携帯情報端末２に表示される特定地域画像１４上に付随情報２８を重ねて表示させても構わない。当該不随情報２８は、特定地域画像１４中に表されているオブジェクトに付随させて表示させる情報であって、例えば、駅前マップに表示されている飲食店のメニュー情報や、理髪店における待ち時間などの情報である。不随情報２８は、サーバ２０から携帯情報端末２に対して配信されるものであり、事前にサーバ２０に対して登録される
【００３２】
サーバ２０に対する不随情報２８の登録は、不随情報登録フォームをサーバ２０に送信することにより行われる。不随情報登録フォームは、テキスト形式の不随情報を記入する不随情報入力部と、当該不随情報を表示させる位置（緯度経度）を指定する指定部と、を備えている。
【００３３】
登録された不随情報２８は特定地域画像１４と共に携帯情報端末２へと送信される。携帯情報端末２は、受信した特定地域画像１４を表示させると共に受信した不随情報２８を特定地域画像１４に重ねて表示する。ここで、不随情報の表示位置については、上記のマーカ１６と同様に特定地域画像１４の画素ごとに緯度経度を算出し、上記不随情報登録フォームによって登録された位置（緯度経度）と近い画素を基点として表示させる。これにより図に示されるように不随情報２８が表示される。
【００３４】
本発明は、その趣旨を逸脱しない範囲で当業者の知識に基づいて種々なる改良、修正、又は変形を加えた態様でも実施できる。また、同一の作用又は効果が生じる範囲内で、何れかの発明特定事項を他の技術に置換した形態で実施しても良い。
【符号の説明】
【００３５】
６  …  ＧＰＳ
８  …  ＣＰＵ
１２  …  広域地図
１４  …  特定地域の地図（特定地域画像）
【図１】
2020071310.tif 000003
【図２】
2020071310.tif 000004
【図３】
2020071310.tif 000005
【図４】
2020071310.tif 000006
【図５】
2020071310.tif 000007
【図６】
2020071310.tif 000008
【図７】
2020071310.tif 000009